(57)【要約】【課題】  インターフェイス部の方向を変更しても電気特性が変化せず、アンテナからの導波管接続方向を自在に選択可能な無線信号送受信装置を提供する。【解決手段】  アンテナから導波管６を介して受信した電波を電気信号に変換する変換器３に導波管６との接続部３ａを設け、インターフェイス部４に、変換器３の取付面４ａに対して垂直な方向に第１の延設部４ｂ及び複数の取付穴４ｃと、変換器３の取付面４ａ及び第１の延設部４ｂに対して垂直な方向に第２の延設部４ｄ及び上記複数の取付穴４ｃと同一ピッチの複数の取付穴４ｅとを設け、本体１ａに、インターフェイス部４の第１の延設部４ｂの複数の取付穴４ｃと同一ピッチに配置された複数の雌ねじ部及びビス１ｂと、２本のビス１ｂを結ぶ直線に対して垂直方向の本体１ａ上に、上記雌ねじ部と同一ピッチに配置された雌ねじ部及びビス１ｃを螺設した無線信号送受信装置１。【選択図】  図１
2006203711.tif 000002
【特許請求の範囲】
【請求項１】
アンテナと、該アンテナから導波管を介して受信した電波を電気信号に変換する変換器と、該変換器から出力された電気信号を送出するケーブルとを備えた無線信号送受信装置において、
前記変換器に、前記導波管との接続部を設け、
前記変換器を該無線信号送受信装置の本体に固定するインターフェイス部を、板状の本体と、該本体の、前記変換器を取り付ける取付面に対して垂直な方向に延設された第１の延設部と、該第１の延設部に穿設された複数の取付穴と、前記取付面及び前記第１の延設部に対して垂直な方向に延設された第２の延設部と、該第２の延設部に穿設され、第１の延設部に穿設された複数の取付穴と同一ピッチに穿設された複数の取付穴とで構成し、
該無線信号送受信装置の本体に、前記インターフェイス部の前記第１の延設部の前記複数の取付穴と同一ピッチに配置された複数の第１の締結手段と、前記変換器の前記ケーブルの取付部を中心にして前記複数の第１の締結手段を９０度回転した位置に、前記複数の第１の締結手段と同一ピッチに配置された複数の第２の締結手段とを設けたことを特徴とする無線信号送受信装置。
【請求項２】
前記変換器の前記導波管との接続部は、フランジであることを特徴とする請求項１に記載の無線信号送受信装置。
【請求項３】
前記第１及び第２の締結手段は、前記無線信号送受信装置の本体の表面に螺設された雌ねじ部と、該雌ねじ部に螺合するビスとを備えることを特徴とする請求項１又は２に記載の無線信号送受信装置。
【請求項４】
前記ケーブルは、セミリジッドケーブルを含む同軸ケーブルであることを特徴とする請求項１、２又は３に記載の無線信号送受信装置。
【発明の詳細な説明】
【技術分野】
【０００１】
本発明は、無線信号送受信装置に関し、特に、アンテナから導波管を介して受信した電波を電気信号に変換する変換器を備えた無線信号送受信装置に関する。
【背景技術】
【０００２】
従来、アンテナからの信号を導波管を経て受信し、受信した電波を電気信号に変換して処理する無線信号送受信装置が用いられている。例えば、特許文献１には、アンテナ、雲台及び送受信装置を固定する際の各部材及び組立の累積公差による送受信装置の筐体の撓み及び変形、並びに導波管の不完全接続を防止した導波管接続構造が記載されている。
【０００３】
一方、特許文献２には、図４に示すように、矩形導波管のＨ面Ｔ分岐と、Ｅ面Ｔ分岐とを組み合わせて構成されるマジックＴ２１において、分岐ポート２２の導波管の天井位置と一致した場所に金属ブロックの整合板２３を設け、この整合板により、Ｅポート２４の整合を図ることにより、安定した電気特性が得られ、かつ低コスト化を実現したマジックＴが開示されている。
【０００４】
【特許文献１】特開２００１−１６８６１１号公報
【特許文献２】特開平１１−６８４２２号公報
【発明の開示】
【発明が解決しようとする課題】
【０００５】
しかし、上記特許文献１等に記載のアンテナからの信号を導波管を経て受信した電波を電気信号に変換して処理する従来の無線信号送受信装置においては、インターフェイス部の位置及び方向が限定されているため、装置を多段実装することができないなど、実装形態に制約があった。ここで、インターフェイス部の方向を変更するには、装置及び装置インターフェイス部が別設計となる。但し、最適なインターフェイス部の方向が確定するのは、現地納入後の場合が多く、最適なインターフェイス部を予め手配するのは困難であった。
【０００６】
また、上記従来の無線信号送受信装置では、インターフェイス部の方向を変更したとしても、方向の変換に伴い、変換器から装置内部へのケーブル長が変わってしまうと、装置の特性が変化するという問題があった。
【０００７】
上記問題点を解決するため、特許文献２の適用を考慮しても、同文献に記載のマジックＴは、マイクロ波のインピーダンスブリッジ、周波数弁別器等に用いるものであるため、上記構成を有する無線信号送受信装置のインターフェイス部の方向を変更するために使用することはできない。
【０００８】
そこで、本発明は、上記従来の無線信号送受信装置における問題点に鑑みてなされたものであって、インターフェイス部の方向を容易に変更することができるとともに、インターフェイス部の方向を変更した場合でも、装置の電気特性が変化することなく、別部材の設計、手配等が不要で、アンテナからの導波管接続方向を自在に選択することのできる無線信号送受信装置を提供することを目的とする。
【課題を解決するための手段】
【０００９】
上記目的を達成するため、本発明は、アンテナと、該アンテナから導波管を介して受信した電波を電気信号に変換する変換器と、該変換器から出力された電気信号を送出するケーブルとを備えた無線信号送受信装置において、前記変換器に、前記導波管との接続部を設け、前記変換器を該無線信号送受信装置の本体に固定するインターフェイス部を、板状の本体と、該本体の、前記変換器を取り付ける取付面に対して垂直な方向に延設された第１の延設部と、該第１の延設部に穿設された複数の取付穴と、前記取付面及び前記第１の延設部に対して垂直な方向に延設された第２の延設部と、該第２の延設部に穿設され、第１の延設部に穿設された複数の取付穴と同一ピッチに穿設された複数の取付穴とで構成し、該無線信号送受信装置の本体に、前記インターフェイス部の前記第１の延設部の前記複数の取付穴と同一ピッチに配置された複数の第１の締結手段と、前記変換器の前記ケーブルの取付部を中心にして前記複数の第１の締結手段を９０度回転した位置に、前記複数の第１の締結手段と同一ピッチに配置された複数の第２の締結手段とを設けたことを特徴とする。
【００１０】
そして、本発明によれば、インターフェイス部の第１の延設部又は第２の延設部に穿設された複数の取付穴と、無線信号送受信装置の本体に配置された複数の第１の締結手段又は第２の締結手段との係合関係を変更することにより、インターフェイス部の方向を互いに垂直な３方向に容易に切り換えることができるとともに、インターフェイス部の方向を変更した場合でも、変換器から装置内部へのケーブル長が変化することがなく、別部材の設計、手配、及び、装置の電気特性の変化なく、アンテナからの導波管接続方向を自在に選択することが可能となる。また、インターフェイス部を１つの部材で形成することができ、インターフェイス部の向きに関わらず、インターフェイス部の部品点数を削減することができる。
【００１１】
前記無線信号送受信装置において、前記変換器の前記導波管との接続部をフランジとすることができ、前記第１及び第２の締結手段は、前記無線信号送受信装置の本体の表面に螺設された雌ねじ部と、該雌ねじ部に螺合するビスとを備えるように構成することができる。また、前記ケーブルには、セミリジッドケーブル等の同軸ケーブルを用いることができる。
【発明の効果】
【００１２】
以上のように、本発明によれば、インターフェイス部の方向を容易に変更することができるとともに、インターフェイス部の方向を変更した場合でも、変換器から装置内部へのケーブル長が変化することのない無線信号送受信装置を提供することが可能となる。
【発明を実施するための最良の形態】
【００１３】
図１乃至図３は、本発明にかかる無線信号送受信装置の一実施の形態を示し、この無線信号送受信装置１は、アンテナから導波管６を介して受信した電波を電気信号に変換する変換器３と、変換器３から出力された電気信号を送出する同軸ケーブル７と、変換器３を無線信号送受信装置１の本体１ａに固定するインターフェイス部４とを備える。
【００１４】
前記変換器３は、アンテナからの導波管６との接続部としてフランジ部３ａを備える。この変換器３は、後述するインターフェイス部４を介して無線信号送受信装置１の本体１ａに固定される。
【００１５】
インターフェイス部４は、変換器３の取付面４ａに対して垂直な方向に延設された第１の延設部４ｂと、この第１の延設部４ｂの各々に穿設された取付穴４ｃと、変換器３を取り付ける取付面４ａ及び第１の延設部４ｂに対して垂直な方向に延設された第２の延設部４ｄと、第２の延設部４ｄに穿設され、第１の延設部４ｂに穿設された複数の取付穴４ｃと同一ピッチに穿設された複数の取付穴４ｅとを備える。
【００１６】
無線信号送受信装置１の本体１ａには、インターフェイス部４の第１の延設部４ｂの複数の取付穴４ｃと同一ピッチに配置された図示しない雌ねじ部が螺設され、この雌ねじ部にビス１ｂが螺合する。この雌ねじ部及びビス１ｂに加え、図２及び図３に示すように、前記２本のビス１ｂを結ぶ直線に対して垂直方向の本体１ａ上に、上記雌ねじ部と同一ピッチに配置された図示しない雌ねじ部と、ビス１ｃが螺設される。
【００１７】
次に、上記構成を有する無線信号送受信装置１の組立方法について、図１乃至図３を参照しながら詳細に説明する。
【００１８】
図１に示すように、アンテナからの導波管６の接続方向を側面側とする場合には、変換器３を固定したインターフェイス部４の第１の延設部４ｂに穿設された取付穴４ｃを、無線信号送受信装置１の本体１ａの図示しない雌ねじ部に位置決めし、ビス１ｂを用いてインターフェイス部４を本体１ａに固定する。次に、変換器３のフランジ部３ａにアンテナからの導波管６を接続し、無線信号送受信装置１の組立てが完了する。
【００１９】
次に、アンテナからの導波管６の接続方向を背面側とする場合には、図２に示すように、変換器３を固定したインターフェイス部４の第１の延設部４ｂに穿設された取付穴４ｃを、無線信号送受信装置１の本体１ａの図示しない雌ねじ部に位置決めし、ビス１ｃを用いてインターフェイス部４を本体１ａに固定する。次に、変換器３のフランジ部３ａにアンテナからの導波管６を接続し、無線信号送受信装置１の組立てが完了する。
【００２０】
さらに、アンテナからの導波管６の接続方向を上面側とする場合には、図３に示すように、変換器３を固定したインターフェイス部４の第２の延設部４ｄに穿設された取付穴４ｅを、無線信号送受信装置１の本体１ａの図示しない雌ねじ部に位置決めし、ビス１ｃを用いてインターフェイス部４を本体１ａに固定する。次に、変換器３のフランジ部３ａにアンテナからの導波管６を接続し、無線信号送受信装置１の組立てが完了する。
【００２１】
上述のように、インターフェイス部４の第１の延設部４ｂ又は第２の延設部４ｄに穿設された複数の取付穴４ｃ、４ｅと、無線信号送受信装置１の本体１ａに配置された雌ねじ部及びビス１ｂ、１ｃとの係合関係を変更することにより、インターフェイス部４の方向、すなわちアンテナからの導波管６の方向を互いに垂直な３方向に容易に切り換えることが可能となる。また、この際、変換器３から無線信号送受信装置１の内部へ電気信号を伝送する同軸ケーブル７のケーブル長が変化することがないため、無線信号送受信装置１の電気特性が変化することもない。
【図面の簡単な説明】
【００２２】
【図１】本発明にかかる無線信号送受信装置の一実施の形態を示す外観斜視図であって、アンテナからの導波管の接続方向を側面側とした状態を示す。
【図２】本発明にかかる無線信号送受信装置の一実施の形態を示す外観斜視図であって、導波管アンテナからの導波管の接続方向を背面側とした状態を示す。
【図３】本発明にかかる無線信号送受信装置の一実施の形態を示す外観斜視図であって、導波管アンテナからの導波管の接続方向を上面側とした状態を示す。
【図４】従来のマジックＴを示す斜視図である。
【符号の説明】
【００２３】
１      無線信号送受信装置
１ａ    本体
１ｂ    ビス
１ｃ    ビス
３      変換器
３ａ    フランジ部
４      インターフェイス部
４ａ    取付面
４ｂ    第１の延設部
４ｃ    取付穴
４ｄ    第２の延設部
４ｅ    取付穴
６      （アンテナからの）導波管
７      同軸ケーブル
【図１】
2006203711.tif 000003
【図２】
2006203711.tif 000004
【図３】
2006203711.tif 000005
【図４】
2006203711.tif 000006